(57)【要約】【課題】建材に作用する応力に弱いビスを用いて固定しても当該ビスが破断しない耐荷重性を向上させたＬ型金具及びこれを用いて建材の高さ調整が行なえる高さ調整装置を提供する。【解決手段】Ｌ型金具１の起立壁２若しくは底壁３の少なくともいずれか一方に板厚を厚肉に形成された厚肉部２ｂにビス先端が底壁３から離れる向きに傾斜した傾斜ビス孔２ｃが貫通して設けられている。【選択図】図１
2013104198.tif 000002
【特許請求の範囲】
【請求項１】
建材の側面に沿って組み付けられて側面荷重を支える起立壁と、前記起立壁面に直交して前記建材の底面に沿って組み付けられて垂直荷重を支える底壁と、を備えたＬ型金具であって、
前記起立壁若しくは前記底壁の少なくともいずれか一方に板厚を厚肉に形成された厚肉部にビス先端が底壁から離れる向きに傾斜した傾斜ビス孔が貫通して設けられていることを特徴とするＬ型金具。
【請求項２】
前記起立壁若しくは前記底壁には当該底壁の板厚方向に貫通するねじ孔に雌ねじ部が形成されている請求項１記載のＬ型金具。
【請求項３】
前記Ｌ型金具の底壁は起立壁を介して反対側に延設された延設部が設けられ、該延設部に前記雌ねじ部を有するねじ孔が前記起立壁に近接して板厚方向に設けられている請求項１又は請求項２記載のＬ型金具。
【請求項４】
前記起立壁の外面及び前記延設部に直交して連なる一対の補強リブが前記ねじ孔を囲んで突設されている請求項３記載のＬ型金具。
【請求項５】
前記Ｌ型金具の前記起立壁面若しくは底壁面のうち少なくとも一方には、前記被締結部材に食い込んで滑動するのを防ぐ先端が先細り状に形成された突起が複数突設されている請求項１乃至請求項４のいずれか１項記載のＬ型金具。
【請求項６】
前記起立壁及び底壁のうち少なくとも一方には、厚さ方向に貫通するビス孔が各々設けられている請求項１乃至請求項５のいずれか１項記載のＬ型金具。
【請求項７】
雄ねじ部が形成されたねじ軸及び該ねじ軸の設置面側端部に脚部が設けられた調整脚が、請求項１乃至請求項６のいずれかに記載のＬ型金具のねじ孔に前記ねじ軸を挿入して雌ねじ部に雄ねじ部がねじ嵌合して組み付けられており、前記ねじ軸を回転させて前記Ｌ型金具の設置面からの高さを調整可能であることを特徴とする高さ調整装置。
【請求項８】
前記脚部には、当該脚部を設置面に固定するアンカーボルトを挿通するアンカーボルト固定孔が貫通して設けられている請求項７記載の高さ調整装置。
【発明の詳細な説明】
【技術分野】
【０００１】
本発明は、例えば建材に密着して取り付けられるＬ型金具及びその設置面からの高さ位置を調整可能な高さ位置調整装置に関する。
【背景技術】
【０００２】
住宅回りにはデッキ・濡れ縁・玄関踏み台・作業テーブル・収納棚など様々な木製の建造物があり、それらは仮設的なものであり建物躯体と異なり地盤に強固に固定する必要の無いものであるがそれでも水平レベルを出して設置しなければならないことは言うまでもない。たとえば、デッキ、濡れ縁、玄関踏み台などが傾斜していては使い勝手が悪い。
【０００３】
これらの簡易な建造物は地面に接地されることがおおく、図８に示すように設置の際は束石５３が使われる。束石５３とは地中に埋設される砕石層５１その上に敷き詰められるモルタル層５２の上に高さ３０ｃｍ程度で地中より突設されるコンクリートブロックである。この束石５３の上面には羽子板５４と呼ばれる鉄板が飛び出ていて、構造材５５をのせてボルト締めする。
【０００４】
束石５３の据え付けには、まず地面を掘り下げて砕石５１を敷き、突き固めたうえに束石５３を仮置きし、建造物に応じた柱の高さと位置を割出し水糸を張り、各束石５３の上面が所望の位置にありなおかつ水平になるように砕石５１を詰めながら調整する。そしてＸ座標，Ｙ座標、及び水平レベルがでたところで、束石５３の下および周囲にモルタル５２を流し込み、固化するまえに再び位置および水平レベルを確認して微調整したのち乾燥するのを待つのである。この工事にはミリ単位の精度が要求されかなりの熟練を要する。
また、束石５３ＸＹＺ方向の位置調整にはかなりの時間がかかる。さらに作業が終わってもモルタル５２が乾くのには１昼夜程度かかるため基礎工事には２〜３日を要する。簡易な建造物であればなおさら基礎工事の工数は大きな比重を占め、大半が据え付け作業という場合もある。また作業には重量のある砕石５１や束石５３を扱わなくてはならず重労働である。
【０００５】
これを改善するためにアジャスタボルトを根太や柱に取り付けボルトを回転させることで水平レベルを調整する方法がある。例えば、図９に示すように建築用構造材５５にボルトが抜ける貫通孔５５ａを設けその底部に平板ナット５６をねじ止めし、下方から太くて長い調整ボルト５７をねじ嵌合させる。調整ボルト５７の中途部には締付けナット５７ａがねじ嵌合しており下端部に固定ナット５７ｂ及び脚部５７ｃが固定されている。脚部５７ｃは地面に接地しており、固定ナット５７ｂをスパナ等で回すと調整ボルト５７が回転し平板ナット５６により構造材５５が上下に移動する。この方法は束石５３を使った基礎工事よりも工数的に優れているが、しかしながら構造材５５に深い貫通孔５５ａを開けなければならないことから加工が厄介で熟練を要し、またコーナーなどの継手の部分では設けることができない。また、比較的大きな貫通孔５５ａを開けることから太い構造材５５を使わなくてはならず、強度的にも不安が残るうえに外観上も好ましくない。
【０００６】
そこで、特公平７−６８７３３号公報や特許公開２００５−２３６４５号公報などに示す金具や高さ調整装置が種々提案されているが、前者はＡＬＣ外壁板を構造材に支持するためのパネル受け金具であり、後者は押出し成形された合成木板で形成された枠フレームのコーナー部の幕板にコーナー金具を固定して脚部の高さ調整が可能な脚柱を取り付けたウッドデッキでありいずれも特殊な建材を用いており、部品点数も多く構造材などの構造材を用いた建築物にそのまま適用することは難しく汎用性に欠けている。
一方、コンクリート床に木造構築物を接地する場合も、ほとんどの場合、平らな水平面は出ておらず、ガタツキも発生しやすくやはりレベル出しの必要がある。したがってアジャスタボルトを使って高さ調整せざるを得ないが、上述と同様にボルトの取り付け加工の煩わしさが残る。
【先行技術文献】
【特許文献】
【０００７】
【特許文献１】特公平７−６８７３３号公報
【特許文献２】特開２００５−２３６４５号公報
【発明の開示】
【発明が解決しようとする課題】
【０００８】
上述した仮設的な建築物を含む建築物の設置には、現状では時間と熟練を要する束石による基礎敷設か或いは制約の多い調整ボルトを設ける脚部支持構造によるしかない。木造の建造物に特殊な加工なしで調整ボルト５７を取り付けるためには、金具を用いて構造材に一体化する方法が考えられる。例えば、図１０に示すように構造材（構造材等）５５に調整ボルト５７付きのＬ型金具５８を固定すればよい。即ち調整ボルト５７がねじ嵌合するねじ孔（雌ねじ部）５８を備えたＬ型金具５８を構造材５５の底面と側面にビス５９によりビス止めすればよい。そして、Ｌ型金具５８の下方から調整ボルト５７をねじ孔５８ａにねじ嵌合させれば構造材５５が上下動して高さ調整することができる。
【０００９】
Ｌ型金具５８を構造材等の構造材５５に取り付けるためにはビス（木ネジ）５９を使用することが一般的である。Ｌ型金具５８の取り付けに際して太いボルトを使っていては穴あけ加工が必要になるうえに構造材５５の強度が低下してしまうので好ましくない。そこで、現実的にもビス５９を使用することになる。しかしながら、図１１に矢印で示すようにビス５９は締め付けが簡便で作業性も良いが軸径が細くビス５９自体が剪断力に弱い欠点がある。
【００１０】
また、Ｌ型金具５８のＬ型面双方への密着は難しく、構造材５５が浮いているとビス５９が破断しやすい。即ち、Ｌ型金具５８が構造材５５に密着していればビス５９には剪断力がかからないが浮いている状態で大きな荷重がかかるとビス５９は容易に破断してしまう。しかしながらＬ型金具５８の取り付けは１面ずつ行われるため２面を均等に密着させることは至難の技であり、どちらか１面は浮いていて密着しない場合が多い。従って、ビス５９に剪断応力がかかることになって垂直方向の耐荷重を大きくできない。
【００１１】
また、図１２の矢印に示すように、ビス５９による固定では構造材５５に作用する曲げモーメントに耐えられない。即ち、構造材５５には垂直荷重の他、長手方向に曲げモーメントがかかる。曲げモーメントはＬ型金具５８を止めるビス５９に作用して剪断破壊の原因となる。したがってこの点からも強度をあげられないという問題が発生する。
また、図１３の矢印に示すように、Ｌ型金具５８およびビス５９が構造材５５に作用する回転モーメントに耐えられない。即ち、構造材５５の短手方向へ大きな回転モーメントが作用してＬ型金具５８が変形すると歪はビス５９の頭部に集中し、大きな引張応力がかかりビス５９の頭部がちぎれるか引き抜かれる状態が発生し、この点からも強度をあげられない。
以上説明したようにビス締結によるＬ型金具５８の取り付けは作業性が良い反面、上述の３点から耐荷重性をあげられないという致命的な欠点を有する。
【００１２】
本発明の目的は、建材に作用する応力に弱いビスを用いて固定しても当該ビスが破断しない耐荷重性を向上させたＬ型金具及びこれを用いて建材の高さ調整が行なえる高さ調整装置を提供することにある。
【課題を解決するための手段】
【００１３】
上記目的を達成するため、本発明に係るＬ型金具は、以下の構成を備える。
建材の側面に沿って組み付けられて側面荷重を支える起立壁と、前記起立壁面に直交して前記建材の底面に沿って組み付けられて垂直荷重を支える底壁と、を備えたＬ型金具であって、前記起立壁若しくは前記底壁の少なくともいずれか一方に板厚を厚肉に形成された厚肉部にビス先端が底壁から離れる向きに傾斜した傾斜ビス孔が貫通して設けられていることを特徴とする。
【００１４】
上記構成によれば、起立壁若しくは底壁の少なくともいずれか一方に板厚を厚肉に形成された厚肉部にビス先端が底壁から離れる向きに傾斜した傾斜ビス孔が貫通して設けられている。これにより、Ｌ型金具の傾斜ビス孔を通じてビスを建材にビス止めすると、起立壁及び底壁が斜め上方に持ち上げられて、Ｌ型金具の起立壁面及び底壁面の双方が建材に密着して結合される。また建材とＬ型金具との固定は厚さ方向に貫通するビス孔にビスを通じてビス止めすることにより、固定することができる。よって、難しい作業を伴わずにＬ型金具を建材に対して密着固定することができ、ビスに垂直荷重による剪断応力が作用するのを防いで破損することを防止できる。尚、垂直荷重はＬ型金具の底壁に垂直に作用するため、必ずしも底壁にビスを用いて構造材に固定する必要はない。
【００１５】
前記起立壁若しくは前記底壁には当該底壁の板厚方向に貫通するねじ孔に雌ねじ部が形成されていることが望ましい。
これにより、ねじ孔にねじ軸をねじ込むことで建材に貫通孔を設けることなくＬ型金具に高さ調整するための調整脚を容易に取り付けることができる。
【００１６】
前記Ｌ型金具の底壁は起立壁を介して反対側に延設された延設部が設けられ、該延設部に前記雌ねじ部を有するねじ孔が前記起立壁に近接して板厚方向に設けられていることが好ましい。
このように、延設部に雌ねじ部を有するねじ孔が起立壁に近接して板厚方向に設けられていると、ねじ軸が起立壁面に接する位置とすることにより、調整脚のねじ軸を建材の荷重中心に近く配置することができＬ型金具に作用する回転モーメントは限界まで小さくすることができる。
【００１７】
前記起立壁の外面及び前記延設部に直交して連なる一対の補強リブが前記ねじ孔を囲んで突設されていてもよい。この一対の補強リブを設けたことによりＬ型金具が変形し難くなりビスに引張応力は働かない。また、ねじ軸が一対の補強リブと起立壁に囲まれて組み付けられるので、作業者と接触することもなく、ねじ軸を直接視認しながら建材の高さ調整を行うことができるので作業性も向上する。
例えば、ダクタイル鋳鉄製の場合、リブ幅４ｍｍ、リブ高さ１０ｍｍとすれば、Ｌ型金具１個で通常の建造物の負荷条件である４００ｋｇｆの垂直荷重を支えることができる。
【００１８】
前記Ｌ型金具の前記起立壁面若しくは底壁面のうち少なくとも一方には、前記被締結部材に食い込んで滑動するのを防ぐ先端が先細り状に形成された突起が複数突設されているのが好ましい。
これにより、Ｌ型金具をビスで建材に締結すると、突起が建材に食い込んで摩擦力（粘性）が発生する。よって、建材に曲げモーメントが作用しても壁面の突起部がそれを受けるようになり、ビスに剪断応力が集中して作用するのを防止できる。
尚、曲げモーメントは建材の長手方向に発生することから、起立壁面に作用して底壁面には作用しない。よってＬ型金具の底壁面には必ずしも突起を設けなくてもよい。また、Ｌ型金具を建材に取り付ける際にはビスを斜め打ちすることからＬ型金具がわずかに上方に摺動するため、突起は上下方向に延設して金具の摺動の妨げにならないような形状とする必要がある。
【００１９】
前記起立壁及び底壁のうち少なくとも一方には、厚さ方向に貫通するビス孔が各々設けられていてもよい。これにより、Ｌ型金具と建材の密着固定状態をより強固にすることができる。
【００２０】
また、高さ調整装置にあっては、雄ねじ部が形成されたねじ軸及び該ねじ軸の設置面側端部に脚部が設けられた調整脚が、上述したＬ型金具のねじ孔に前記ねじ軸を挿入して雌ねじ部に雄ねじ部がねじ嵌合して組み付けられており、前記ねじ軸を回転させて前記Ｌ型金具の設置面からの高さを調整可能であることを特徴とする。
このように、ねじ軸とねじ孔とのねじ嵌合する位置を可変にすることでＬ型金具の設置面からの高さを調整して建材の設置面に対する水平度を容易に調整することができる。
【００２１】
前記脚部には、当該脚部を設置面に固定するアンカーボルトを挿通するアンカーボルト固定孔が貫通して設けられているのが好ましい。
これにより、脚部をアンカーボルトにより設置面に固定して調整脚の移動や転倒を防ぐことができる。
【発明の効果】
【００２２】
以上説明したように、本発明によれば、剪断力に弱いビスを用いて建材に固定してもビスが破断しないＬ型金具及びこれを用いて建材の高さ調整が簡易に行える高さ調整装置を提供することができる。
【図面の簡単な説明】
【００２３】
【図１】Ｌ型金具及び調整脚の正面図、上視図、右側面図、傾斜ビス孔を含む部分断面図である。
【図２】Ｌ型金具及び調整脚の構造材への組み付け作業を示す斜視説明図である。
【図３】高さ調整装置の構造材への組み付け後の状態を示す側面図である。
【図４】高さ調整装置の構造材への組み付け位置を変更した状態を示す正面図及び右側面図である。
【図５】高さ調整装置の他例に係る構造材への組み付け状態を示す正面図及び右側面図である。
【図６】高さ調整装置の構造材への組み付け位置のバリエーションを示す斜視図である。
【図７】Ｌ型金具を構造材に密着固定する過程を示す説明図である。
【図８】従来の建造物の基礎工事を示す説明図である。
【図９】従来の高さ調整装置の断面説明図である。
【図１０】高さ調整装置の一例を示す説明図である。
【図１１】図１０においてＬ型金具に作用するせん断応力の説明図である。
【図１２】図１０においてＬ型金具に作用する曲げモーメントの説明図である。
【図１３】図１０においてＬ型金具に作用する回転モーメントの説明図である。
【発明を実施するための形態】
【００２４】
本発明に係るＬ型金具及びこれを用いた高さ調整装置の実施形態について図１乃至図７を参照して説明する。以下では、建材の一例として構造材（例えばツーバイフォーランバー）にビス止めされるＬ型金具及びこれを用いた建造物の高さ調整装置を例示して説明するものとする。
【００２５】
先ず、図１を参照してＬ型金具の構成について説明する。
図１（ｃ）において、Ｌ型金具１は、例えば鋳鉄製の金属金具が用いられる。Ｌ型金具１は、構造材６（図２参照）の側面沿って組み付けられて側面荷重を支える起立壁２と、起立壁面に直交して構造材６の底面に沿って組み付けられて垂直荷重を支える底壁３を備えている。Ｌ型金具１の底壁３は起立壁２を介して反対側に延設された延設部４が設けられている。この延設部４に雌ねじ部５ａ（図１（ｂ）参照）を有するねじ孔５が起立壁２に近接して板厚方向に設けられている。また、起立壁２及び底壁３には、構造材６に対してビス止めするためビス孔２ａ，３ａ（ばか孔）が板厚方向に貫通して形成されている。尚、延設部４に代えて起立壁２の板厚を部分的に（例えば底壁３に隣接する部分；図７（ａ）〜（ｃ）破線部参照）厚くして底壁３の板厚方向にねじ孔５を設けてもよい。
【００２６】
図１（ｄ）に示すように起立壁２に板厚を厚肉に形成された厚肉部２ｂが形成されている。この厚肉部２ｂにビス先端が底壁３から離れる向きに斜め上方に傾斜した傾斜ビス孔２ｃ（ばか孔）が貫通して設けられている。傾斜ビス孔２ｃの水平方向に対する傾斜角度は約３０°である（図１（ｃ）参照）。傾斜ビス孔２ｃは、底壁３に設けられていてもよい。この場合にも、傾斜ビス孔はビス先端が底壁３から離れる向きに斜め上方に傾斜して形成される必要がある。尚、傾斜ビス孔２ｃは、ビス孔２ａにビス止めされるビスとの干渉を避けるため、構造材６（図２参照）の長手方向に傾いていてもよい。
【００２７】
これにより、図１（ｄ）に示すようにＬ型金具１の傾斜ビス孔２ｃを通じてビス８を構造材６にビス止めすると、起立壁２及び底壁３が斜め上方に持ち上げられて、Ｌ型金具１の起立壁面及び底壁面の双方が構造材に密着して結合される（図７参照）。また構造材６とＬ型金具１との固定は厚さ方向に貫通するビス孔２ａ，３ａにビス７を通じてビス止めすることにより、固定することができる（図２参照）。ビス７，８は、例えば直径４ｍｍ、長さ３８ｍｍ程度のナベ小ねじが用いられる。よって、難しい作業を伴わずにＬ型金具１を構造材６に対して密着固定することができ、ビス７，８に垂直荷重による剪断応力が作用するのを防いで破損することを防止できる。尚、垂直荷重はＬ型金具１の底壁３に垂直に作用するため、必ずしも底壁３にビス７を用いて構造材６に固定する必要はない。
【００２８】
図１（ｂ）（ｃ）に示すようにＬ型金具１の構造材６と当接する起立壁面には構造材６に食い込んで滑動するのを防ぐ先端が先細り状に形成された突起部９が複数突設されている。
これにより、Ｌ型金具１をビス７，８で構造材６に締結すると、突起部９が構造材６に食い込んで摩擦力（粘性）が発生する。よって、構造材６に曲げモーメントが作用しても起立壁面の突起部９がこの応力を受けるようになり、ビス７，８に剪断応力が集中するのを防止できる。
【００２９】
尚、曲げモーメントは構造材６の長手方向に発生することから、起立壁２に作用して底壁３には作用しない。よってＬ型金具１の底壁３には必ずしも突起部９を設けなくてもよい。また、Ｌ型金具１を構造材６に取り付ける際にはビス８を斜め打ちすることからＬ型金具１がわずかに上方に摺動するため、突起部９は上下方向に延設してＬ型金具１の摺動の妨げにならないような形状（例えば突条）とする必要がある。
【００３０】
また、図１（ａ）（ｃ）に示すように、起立壁２の外面及び延設部４に直交して連なる一対の補強リブ１０がねじ孔を囲んで突設されている。この一対の補強リブ１０を設けたことによりＬ型金具１が変形し難くなりビス７，８に引張応力は働かなくなる。例えば、ダクタイル鋳鉄製の場合、リブ幅４ｍｍ、リブ高さ１０ｍｍとすれば、Ｌ型金具１個で通常の建造物の負荷条件である４００ｋｇｆの垂直荷重を支えることができる。
また、後述するようにねじ軸１２が一対の補強リブ１０と起立壁２に囲まれて組み付けられるので、作業者と接触することもなく、ねじ軸１２を直接視認しながら構造材６の高さ調整を行うことができるので作業性も向上する。尚、補強リブ１０は、底壁３及び延設部４の下面側に設けられていてもよい。
【００３１】
次に、Ｌ型金具１に組み付けられる調整脚１１の構成について図１（ａ）（ｃ）を参照して説明する。調整脚１１は、雄ねじ部１２ａが形成されたねじ軸１２の中間にねじ込まれた締付けナット１２ｂを有するとともにねじ軸１２の設置面側端部にねじ軸１２と一体となった固定ナット１２ｃ及びねじ軸１２と回転可能に係止された脚部１３が設けられている。脚部１３は、設置面積を拡大するフットプレート１４と一体に組み付けられている。フットプレート１４には脚部１３を設置面に固定するアンカーボルト１５（図３参照）を挿通するアンカーボルト固定孔１４ａが貫通して設けられている。尚、設置面が土の場合は、インタロック等を敷設したうえに脚部１３を連結する。ねじ軸１２としては、例えばφ１２で長さ１００ｍｍ程度のアジャスタボルトが用いられる。
【００３２】
図３に示すように、調整脚１１は、Ｌ型金具１の延設部４に設けられたねじ孔５にねじ軸１２を挿入して雌ねじ部５ａと雄ねじ部１２ａ（図１（ａ）（ｂ）参照）がねじ嵌合して組み付けられる。固定ナット１２ｃをスパナ等を用いて回転させることによりねじ軸１２が回転しＬ型金具１の設置面からの高さを調整可能になっている。上述したＬ型金具１及び調整脚１１を有する高さ調整装置１６が構造材６に組み付けられる。このように、延設部４に雌ねじ部５ａを有するねじ孔５が起立壁２に近接して板厚方向に設けられていると、ねじ軸１２が起立壁面に接する位置とすることにより、調整脚１１のねじ軸１２を構造材６の荷重中心に近く配置することができＬ型金具１に作用する回転モーメントは限界まで小さくすることができる。
【００３３】
次に、高さ調整装置１６の組み付け作業の一例について図２、３及び図７を参照して説明する。先ず、図２に示すように、構造材６の側面下方にＬ型金具１の起立壁２を押し当てて傾斜ビス孔２ｃにビス８を斜め上方に向けてビス止めする。
【００３４】
このとき、図７（ａ）に示すように、ビス８を回転させると、ビス先端８ａが上方に滑り、底壁３を構造材６の底面に向って引き上げる力が作用する。
図７（ｂ）に示すように、ビス８をねじ込むにしたがって、ビス８の直径進入分だけ底壁３が構造材６の底面に向って引き上げられる力が作用する。
図７（ｃ）に示すように、ビス８が構造材６に螺合してビス頭部が厚肉部２ｃに締結すると、突起部９が構造材６に食い込むと同時に締付け力Ｆの垂直分力Ｆｚが高さ方向に作用してＬ型金具１の底壁３を上方に引き上げて構造材６の底面に密着させる。
【００３５】
尚、鉄骨角パイプなどの金属製建材、あるいはプラスチック系建材においてもほぼ同様の効果が得られる。テーパー状のビスを使わないときは直径進入分の引き上げ力は発生しないが、ビス８にナットを組み付けて使用時には、ビス８は傾斜ビス孔２ｃのクリアランス分だけ上方に滑り、ナット締結時には垂直分力Ｆｚにより底壁３を構造材６の底面に密着させることができる。
【００３６】
次いで、図２に示すように、Ｌ型金具１の起立壁２及び底壁３に設けられたビス孔２ａ，３ａに対してビス７を壁面に垂直にビス止めする。これにより起立壁２及び底壁３が構造材６と強固に固定される。また、突起部９が構造材６に食い込み、構造材６に作用する曲げモーメントに対して強い摩擦力が発生するため、ビス７，８に剪断応力が集中して作用するのを防止できる（図７（ｃ）参照）。
【００３７】
次いで、図２においてＬ型金具１の延設部４のねじ孔５の雌ねじ部５ａにねじ軸１２の雄ねじ部１２ａ（図１（ａ）（ｂ）参照）をねじ嵌合させて調整脚１１を組み付ける。ねじ孔５を挿通したねじ軸１２は、一対の補強リブ１０と起立壁２に囲まれた空間部に挿入される。このとき、Ｌ型金具１は一対の補強リブ１０により変形することがないのでビス７，８に回転モーメントによる応力集中は発生しない。また、ねじ軸１２は、一対の補強リブ１０によって囲まれているため作業者と干渉するおそれはない。
【００３８】
次に、ねじ軸１２の下端に脚部１３と共に設けられた固定ナット１２ｃをスパナ等で所定方向に回転させてねじ軸１２が同方向に回転すると、Ｌ型金具１が上動若しくは下動して設置面との高さが調整できる。高さ調整が終わると、締付けナット１２ｂをＬ型金具１に当接するまで締め込んでねじ軸１２の剛性を高めて固定する（図３参照）。
【００３９】
最後に、図３に示すように、フットプレート１４のアンカーボルト孔１４ａに必要に応じてアンカーボルト１５を打ち込んで、締付けナット１５ａをプレート上に締付ければフットプレート１４を固定することができ、調整脚１１の移動や転倒を防止することができる。
【００４０】
上述したＬ型金具１及びこれを用いた高さ調整装置１６を用いれば、基礎工事が不要となり納期とコストを低減できる。また、ねじ軸１２により構造材を支え、高さ調整や傾き修正が可能である。従って、束石敷設といった基礎工事は不要となる。何日も要していた作業は、ほんの数分のねじ締め作業に短縮される。しかも部材費も金具代だけでよくローコストですみ、大幅なコストダウンが可能である。
【００４１】
また、構造材６の高さを現場で合わせられる。ねじ軸１２を回すだけで高さ調整できることから、構造材６を現場に据え付けたあとで高さや水勾配を合わせられる。従来は地盤高さを決め、構築物高さをあらかじめ設計して部材を準備し、現場には丁張を設けて水糸を張るなど、据え付け前に多大な工数が発生しており、しかも据え付けが始まるともう高さ調整はできなかった。
【００４２】
また、経年変化による建築物の沈下を修正することができる。ねじ軸１２を回すだけで高さ調整できることから、いつでも高さ調整可能である。地盤の不等沈下や凍上による傾きといった設置後かなりたってから発生するレベル不具合にも対応できる。従来は、建造物の高さは基礎で決まってしまい基本的には高さ調整はできなかった。高さ修正には、地盤掘り起しやジャッキアップなどが必要となり大変な工数が発生する。
また、Ｌ型金具１の構造材６へ取り付けはビス留めによっており作業時間を短縮できる。ビス締め作業がだれでも確実にできるように考慮されていることから初心者でも取り付け可能で、インパクトドライバーを使って１分程度と極めて短時間で行うことができる。今まで熟練者でなければ困難であった構造材６への穴あけ作業やナット取り付け作業が不要となる。
【００４３】
図４において、調整脚１１のねじ軸１２は構造材６を貫通しないで組み付けられることから、細長い角材、例えばツーバイフォーランバー（３８ｍｍ×８９ｍｍの構造材）の長手方向の任意の位置に取り付けることができる。
【００４４】
また、図６に示すように建物の基礎となる矩形状の構造材６であれば、４方向のいずれにでも取り付けられる。例えばツーバイフォー材でも外周側若しくは内周側のいずれにも取り付けることができる。従って、外観上の問題からＬ型金具を見えないように配置することも可能である。尚、図６では構造材６を地面に設置する場合を例示しており、フットプレート１４の下部にインタロック１７などのブロック材を敷設して支持するようになっている。
【００４５】
また、Ｌ型金具１は耐荷重のわりに小型化できるので取り付けスペースが小さくて済む。よって、構造材６に細いビス７，８をねじこむだけでよいのでコーナー部に継手があっても或いは図５に示すように角柱底部にも制約なくＬ型金具１を組み付けて高さ調整装置１６を取り付けることができる。
【００４６】
更にねじ軸１２を水平方向に取り付けて物品を固定することもできる。あるいは天井から吊り下げて物品を押し付けることもできる。あるいは床から上方にむけて取り付けて物品を浮かせることもできる。さらにＬ型金具１をねじ留めせずに構造材６に押し当てて小型ジャッキとして使うことも可能である。
【００４７】
また、高さ調整装置１６は既設の建築物にも後付けすることができる。即ち、側面作業のみでＬ型金具１を固定することができることから、構造材６を持ち上げて底面から加工する必要がない。したがって建築物を組立後に高さ調整装置１６を取り付けることもでき、既存の建築物に追加することも容易である。
また、構造材６は高さ調整装置１６により持ち上げられて設置される。一般的に建築物は脚部から腐り劣化するが、構造材６は地表から離れて支持されており通気性も確保されることから構造物を長寿命化できる。またシロアリやナメクジ、カビなども寄せ付けず破損や劣化を防ぐことができる。
更には、住環境における木造の建造物は多数あり、それらに対して制約がすくなく広く対応できて、基礎工事や追加工がまったく要らなくなるという効果は大きい。大幅なコストダウンと納期短縮が実現でき、従来にはなかった場所への適応や物品締結といった新しい用途など幅広い用途に用いられる。
【符号の説明】
【００４８】
１  Ｌ型金具  ２  起立壁  ２ａ，３ａ  ビス孔  ２ｂ  厚肉部  ２ｃ  傾斜ビス孔  ３  底壁  ４  延設部  ５  ねじ孔  ５ａ  雌ねじ部  ６  構造材  ７，８  ビス  ９  突起部  １０  補強リブ  １１  調整脚  １２  ねじ軸  １２ａ  雄ねじ部  １２ｂ，１５ａ  締付けナット  １２ｃ  固定ナット  １３  脚部  １４  フットプレート  １４ａ  アンカーボルト固定孔  １５  アンカーボルト  １６  高さ調整装置  １７  インタロック
【図１】
2013104198.tif 000003
【図２】
2013104198.tif 000004
【図３】
2013104198.tif 000005
【図４】
2013104198.tif 000006
【図５】
2013104198.tif 000007
【図６】
2013104198.tif 000008
【図７】
2013104198.tif 000009
【図８】
2013104198.tif 000010
【図９】
2013104198.tif 000011
【図１０】
2013104198.tif 000012
【図１１】
2013104198.tif 000013
【図１２】
2013104198.tif 000014
【図１３】
2013104198.tif 000015